(57)【特許請求の範囲】
【請求項１】
側面に多数のリブを設けた包装用容器であって、リブ３をリブ本数密度の低い部位において辺長２０ｍｍ当たり３本以上の密度で設け、リブ３の最大深さを１．３ｍｍ以上とし、リブ３の口径を３．０ｍｍ以下、より好ましくは２．０ｍｍ以下とし、
底面に同心円上に複数の高台４を設けた包装用容器。
【請求項２】
高台４の高さを３．０ｍｍ以上、幅を４．０ｍｍ以下に設けた請求項１に記載の包装用容器。
【請求項３】
前記包装用容器を、熱可塑性樹脂シート６を雄型５上に配置し、真空成形もしくは真空・圧空成形により賦形することを特徴とする請求項１又は請求項２に記載の包装用容器の製造方法。
【発明の詳細な説明】
【技術分野】
【０００１】
本発明は、容器側面外周に多数のリブを有する包装用容器に関する。
【背景技術】
【０００２】
従来、食品を包装するための包装用容器として、合成樹脂シートを熱成形した容器が多数用いられている。この合成樹脂シートを熱成形した容器は、軽量でありながらも強度に優れ、しかも製造に要する樹脂材の量が少ないため、包装を簡素化するという要望に適した包装用容器であるといえる。
【０００３】
このような包装用容器に食品が収容された包装食品が、コンビニエンスストアやスーパーマーケットなどで多数販売されている。これら包装食品は電子レンジで温めて食されることが多いが、包装食品の熱が伝わり、包装用容器自体も熱くなり、手で持ちにくくなるという難点がある。
【０００４】
かかる難点を解決する手段として、容器を断熱性の高い発泡樹脂で成形する、二重構造とする、容器外周縁部に把手を設ける、容器側面に紙を巻くといった方法が採られている。
【０００５】
二重構造とした包装容器に関する従来例として、蓋を反転させ容器本体をはめ込むことで熱を伝わりにくくさせたもの（特許文献１記載の発明）や、内外層間に補強リブを設けることで、空隙を有する中空二重構造としたもの（特許文献２記載の発明）などがある。
【先行技術文献】
【特許文献】
【０００６】
【特許文献１】特開２００８−１５００９９号公報
【特許文献２】特開平７−１３２９７７号公報
【発明の概要】
【発明が解決しようとする課題】
【０００７】
上記発泡樹脂で成形した包装用容器は断熱性には優れているが、耐熱性、耐油性、耐薬品性等に問題がある。二重構造としたものや把手を設けた包装用容器は、製造に要する樹脂の量が増える、成形方法が複雑になるといったコスト面での難点がある。紙を巻いたものも、別工程が必要になる等の難点がある。
【０００８】
本発明もまた、上述の、手で持った際の熱さを防ぐために考案されたものであり、包装用容器側面に多数のリブを設ける等の手段により課題を解決するものである。
【課題を解決するための手段】
【０００９】
より具体的な解決手段は、以下のようなものである。
【００１０】
請求項１：側面に多数のリブを設けた包装用容器において、リブをリブ本数密度の低い部位において辺長２０ｍｍ当たり３本以上の密度で設け、リブの最大深さを１．３ｍｍ以上とし、リブの口径を３．０ｍｍ以下、より好ましくは２．０ｍｍ以下に設ける。
【００１１】
請求項２：請求項１記載の包装用容器において、底面に高台を設ける。
【００１２】
請求項３：請求項２記載の包装用容器において、高台の高さを３．０ｍｍ以上、幅を４．０ｍｍ以下に設ける。
【００１３】
請求項４：前記包装用容器を、熱可塑性樹脂シートを雄型上に配置し、真空成形もしくは真空・圧空成形により賦形する。
【発明の効果】
【００１４】
上述のように構成される本発明が、如何にして課題を解決する効果を有するかを詳述する。
【００１５】
本発明者らは鋭意研究の結果、包装用容器の側面に、図１に示すようにリブ３を多数設けることで、包装食品を加熱した際の熱さを防げるという知見を得た。より詳しくは、図４に示すようにリブ本数密度の低い部位において辺長２０ｍｍ当たり３個以上のリブ３を設け、更にリブ３の最大深さＨを１．３ｍｍ以上に形成し、口径Ｗを３．０ｍｍ以下、より好ましくは２．５ｍｍ以下にすることで効果的に熱さを防げることを発見した。
【００１６】
辺長２０ｍｍ当たり３個以上のリブ３を設けることで、リブ３・３間の距離を狭め、指が容器側面に直接触れることを防ぎ、高さＨを１．３ｍｍ以上にすることで、熱がリブ３の頂部まで伝わることを効率的に防げるのである。
【００１７】
更には、リブを多数設けることで強度が増加されるものである。
【００１８】
また、口径Ｗを３．０ｍｍ以下とすることで包装食品に含まれる米粒や他の食材が、リブ３内に嵌入することを防ぎ得、２．５ｍｍ以下とすることで、包装食品に含まれる汁がリブ３内に溜まりリブ３が熱くなることを可及的に防ぎ得るのである。
【００１９】
更には、側面にリブ３が多数設けられることで、蒸気の逃げ道を確保でき、水滴により包装食品がべたつくことを防ぎ得るという、副次的効果も有する。他方で、リブ溝が蒸気が通る空間となり、効率的に食材を蒸し熱することが可能となる。
【００２０】
上述の数値要件を満たすリブ３を成形するためには、図４に示すように雄型２上に熱可塑性樹脂シート６を配置し、真空成形もしくは真空・圧空成形により賦形することが好ましい。なぜなら雄型５を用いることで、リブ３の成形時にリブ３内に型が存することになり、リブ３が潰れたり変形することを防ぎ得るのである。
【００２１】
これに対し雌型を使用すると、本件リブ３のように口径が狭く、口径に比し高く、しかも中空である形状の成形は困難である。
【００２２】
一方、射出成形によれば、類似の形状のものを成形できるが、金型が高価である、量産がしづらい、時間がかかる、樹脂の厚さが０．６ｍｍ以上と真空成形や真空・圧空成形に比べ肉厚になってしまうといった難点を有する。
【００２３】
請求項２に記載の包装用容器には、底面に高台４が設けられている。指先が底面に直接触れことを防ぎ、熱さが伝わることを防止するためである。また、高台４は手で持った際の滑り止めの効果も有する。
【００２４】
請求項３に記載の包装用容器では、高台４の高さを３．０ｍｍ以上、幅を４．０ｍｍ以下に設けている。本発明者らが得た知見によれば、かかる条件を満たせば、熱い食品を包装しても高台自体が熱くなることを可及的に防止し得るのである。
【００２５】
また、かかる条件を満たす高台を成形するためには、上述と同様の理由により、雄型５上に熱可塑性樹脂シート６を配置し、真空成形もしくは真空・圧空成形により賦形することが好ましい。
【００２６】
また、雄型を用いて成形すると図３に示すように高台の内面に溝４ａが形成されることになる。この溝４ａに汁等の水分が溜まることになり、食材がべたつくことを防ぐという効果も生じるものである。
【図面の簡単な説明】
【００２７】
【図１】本発明の正面図
【図２】同底面図
【図３】図２におけるＡ−Ａ線断面図
【図４】リブの成形を模式的に示す説明図
【図５】他の実施形態を示す正面図
【発明を実施するための形態】
【００２８】
以下、好ましい発明の一実施形態につき概説する。
【００２９】
本発明にかかる包装用容器は、図１に示すように容器本体１と、容器本体１のの外周縁に取り付けられる周側枠２と、底部に設けられた高台４とを備える。
【００３０】
なお、容器本体１は図２に示されるように平面視（底面視）が円形のものに限られるわけではなく、方形その他の多角形状でも構わない（なお、図２は断面を可視的にするため実際より肉厚に作図してある）。
【００３１】
高台４も図示されたもののように底面視円形のものに限られるわけではなく、方形その他の多角形状でも構わない。更には、高台４は１個でも複数でも構わない。図２に示すよう高台４を同心円状に設けると、指先は内側の高台４に当接し、第一関節付近は外側の高台４に当接させることが可能となり、より確実に指が熱せされた底面に触れることを防ぎ得る。図１乃至図３に示されるように高台４に切り欠き部４ａを設ければ、要する樹脂の量を減少できコスト面に資するものとなると共に、強度を増すことも可能となる。
【００３２】
高台４は、高さを３．０ｍｍ以上、幅を４．０ｍｍ以下に設けることが好ましいことは先述の通りである。
【００３３】
容器本体１の側面にはリブ３が複数設けられている。リブ３は、リブ本数密度の低い部位において辺長２０ｍｍ当たり３個以上、最大深さＨを１．３ｍｍ以上、口径Ｗを３．０ｍｍ以下より好ましくは２．５ｍｍ以下に設けることが好ましいことは先述のとおりである。なお、辺長２０ｍｍ当たり３個以上とは図１乃至図３に示される略円筒形状の容器の場合は、側面外周の円周上の２０ｍｍ当たりの幅に３個以上の密度でリブ３を設けるということである。
【００３４】
また、リブ本数密度の低い部位とは、図１で言えば容器の上部から下部に向けて径が縮減していることから、幅当たりのリブ本数密度が高くなっていく。ゆえに、上端付近が「リブ本数密度の低い部位」にあたる。
【００３５】
一方、図５に示すような周面の特定部位にリブを設けていないような容器の場合には、リブを設けてある部位における「リブ本数密度」が３個以上になるように設けるものである。
【００３６】
本発明にかかる包装用容器は、熱可塑性樹脂の真空成形物又は真空・圧空成形物からなる。具体的には、熱可塑性樹脂シート（プラスチックシート）を熱成形して構成され、プラスチックとしては、例えば、ポリプロピレン（ＰＰ）、ポリプロピレンタルク（ＰＰ．Ｔ）、ポリエチレンテレフタレート（ＰＥＴ）、ポリカーボネート、あるいはポリスチレン（ＰＳ）等を単独、或いは、２種類以上を混合したものが用いられる。
【００３７】
具体的に成形方法は、例えば以下の如くである。熱可塑性樹脂シート６を加熱した後、図４に示す形状の雄型５上に配置し、真空ポンプにて減圧し、型に密着させ、或いは圧縮空気により型に密着させ、この状態で必要時間保持・冷却した後、型から取り出し形成する。
【符号の説明】
【００３８】
３・・リブ
４・・高台
５・・雄型
６・・熱可塑性樹脂シート
【図１】
0005580078.tif 000002
【図２】
0005580078.tif 000003
【図３】
0005580078.tif 000004
【図４】
0005580078.tif 000005
【図５】
0005580078.tif 000006